(57)【要約】【目的】建物基礎工事において横筋に対してアンカーボルトを位置決めしながら配置、固定する作業を大幅に効率化し、基礎工事を大幅に効率化・低コスト化することができるアンカーボルト位置決め支持用具を提供する。【構成】可とう性を有する断面Ｃ字状部材から成り、横筋にその側面から押し付けるだけで前記横筋に対して取り付け可能な横筋取付部と、可とう性を有する断面Ｃ字状部材から成り、アンカーボルトの側面を押し付けるだけで前記アンカーボルトを支持可能なアンカーボルト支持部とから構成される支持用具である。アンカーボルト支持部の断面Ｃ字状部材は、その長手方向が横筋取付部の断面Ｃ字状部材の長手方向に対して直交するように配置されており、その位置は横筋取付部の断面Ｃ字状部材に対して所定距離を介して配置されている。【選択図】    図１
2019019486.tif 000002
【特許請求の範囲】
【請求項１】
可とう性を有する断面Ｃ字状部材から成り、基礎コンクリート内に略水平方向に埋め込まれる横筋にその側面から押し付けるだけで前記横筋に対して取り付け可能な横筋取付部と、
可とう性を有する断面Ｃ字状部材から成り、アンカーボルトの側面を押し付けるだけで前記アンカーボルトを支持可能なアンカーボルト支持部であって、前記断面Ｃ字状部材の長手方向が、前記横筋取付部の断面Ｃ字状部材の長手方向に対して略直交するように且つ前記横筋取付部の断面Ｃ字状部材に対して所定距離を介するように配置されているアンカーボルト支持部と、
を備えたことを特徴とするアンカーボルト位置決め支持用具。
【請求項２】
前記アンカーボルト支持部を水平方向において前記横筋取付部に対して近接又は離反可能なように移動可能とし且つ当該移動後の位置で支持もしくは固定可能とするアンカーボルト位置調整部をさらに備えた、請求項１に記載のアンカーボルト位置決め支持用具。
【請求項３】
前記基礎コンクリートの上面レベルを指示する上面指示部と、
前記上面指示部を前記横筋の長手方向と略直交する方向において前記横筋取付部に対して近接又は離反可能なように移動可能とし且つ当該移動後の位置で支持もしくは固定可能とする上面指示位置調整部とをさらに備えた、請求項１又は２に記載のアンカーボルト位置決め支持用具。
【発明の詳細な説明】
【技術分野】
【０００１】
本発明は、建物等の基礎工事においてアンカーボルトを高精度に且つ効率的に位置決め、支持することを可能にするアンカーボルト位置決め支持用具に関する。
【背景技術】
【０００２】
図１９は従来の布基礎施工例を示す図（特許文献１から引用したものを一部修正）である。図１９において、１０２は縦筋、１０３は縦筋１０２に対しこれと直交する水平方向に固定された横筋、１０４は横筋１０３に固定されて横筋１０３と直交する垂直方向（縦方向）に支持されたアンカーボルトである。従来、建物の基礎工事においては、図１９に示すように、縦筋１０２に針金で巻き付けて固定された横筋に対してアンカーボルトを針金で巻き付けることなどにより、アンカーボルト１０４を垂直方向（縦方向）に支持、固定していた。
【先行技術文献】
【特許文献】
【０００３】
【特許文献１】特開２００２−１７３９４１号公報
【発明の概要】
【発明が解決しようとする課題】
【０００４】
しかしながら、従来の基礎工事において、多数のアンカーボルトを高精度に位置決めしながら横筋に針金で巻き付けて固定する作業は極めて煩雑なものであり、そのため、建物の基礎工事の作業効率は低いままとなってしまい、基礎工事の低コスト化も進まないという問題があった。なお、前述の特許文献１では、アンカーボルト１０４を３本の横筋の継手部位１０３ａ（図１９参照）に固定する際に、予め針金を屈曲して作製した締付用具１０５を使用することを提案しているが、仮にこのような特許文献１の提案する締付用具１０５を使用したとしても締付用具１０５は針金を屈曲して作製したものであるため現場での作業は煩雑なままであるため、基礎工事におけるアンカーボルトの横筋への固定作業の効率を大きく向上させるものではなかった。なお、以上は図１９に示す布基礎の工事に関して説明したが、ベタ基礎の工事に関しても上記問題点は同様であった。
【０００５】
本発明はこのような従来技術の問題点に着目して為されたものであって、建物基礎工事において横筋に対してアンカーボルトを位置決めしながら配置、固定する作業を従来と比較して大幅に効率化することができ、その結果、建物等の基礎工事を大幅に効率化・低コスト化することができるアンカーボルト位置決め支持用具を提供することを目的とする。
【課題を解決するための手段】
【０００６】
以上のような課題を解決するための本発明によるアンカーボルト位置決め支持用具は、可とう性を有する断面Ｃ字状部材から成り、基礎コンクリート内に略水平方向に埋め込まれる横筋にその側面から押し付けるだけで前記横筋に対して取り付け可能な横筋取付部と、可とう性を有する断面Ｃ字状部材から成り、アンカーボルトの側面を押し付けるだけで前記アンカーボルトを支持可能なアンカーボルト支持部であって、前記断面Ｃ字状部材の長手方向が、前記横筋取付部の断面Ｃ字状部材の長手方向に対して略直交するように且つ前記横筋取付部の断面Ｃ字状部材に対して所定距離を介するように配置されているアンカーボルト支持部と、を備えたものである。
【０００７】
また、本発明によるアンカーボルト位置決め支持用具においては、前記アンカーボルト支持部を水平方向において前記横筋取付部に対して近接又は離反可能なように移動可能とし且つ当該移動後の位置で支持もしくは固定可能とするアンカーボルト位置調整部を備えていてもよい。
【０００８】
さらに、本発明によるアンカーボルト位置決め支持用具においては、前記基礎コンクリートの上面レベル（基礎天端）を指示する上面指示部と、前記上面指示部を前記横筋の長手方向と略直交する方向（垂直方向）において前記横筋取付部に対して近接又は離反可能なように移動可能とし且つ当該移動後の位置で支持もしくは固定可能とする上面指示位置調整部とをさらに備えるようにしてもよい。
【発明の効果】
【０００９】
以上のように、本発明に係るアンカーボルト位置決め支持用具は、横筋の側面に押し付けるだけで前記横筋に対して取り付け固定可能な、可とう性を有する断面Ｃ字状部材から成る横筋取付部と、アンカーボルトの側面を押し付けるだけで前記アンカーボルトを取り付け支持（固定）可能な、可とう性を有する断面Ｃ字状部材から成るアンカーボルト支持部とを備えている。したがって、本発明によれば、前記横筋取付部を横筋の側面に押し付け、さらにアンカーボルトの側面を前記アンカーボルト支持部に押し付けるだけで、アンカーボルトを正確に位置決めして垂直方向（縦方向）に支持できるようになる。よって、本発明によれば、建物基礎工事においてアンカーボルトを位置決めしながら配置、固定する作業を、従来と比較して大幅に効率化することができ、以って建物等の基礎工事を効率化・低コスト化することができる。
【００１０】
また、本発明において、前記アンカーボルト支持部を水平方向において前記横筋取付部に対して近接又は離反可能なように移動可能とし且つ当該移動後の位置で固定、支持可能とするアンカーボルト位置調整部を備えるようにしたときは、前記横筋に対するアンカーボルトの位置決めを極めて高精度に且つ効率的に行うことができる。
【００１１】
さらに、本発明において、基礎コンクリートの上面レベル（基礎天端）を指示する上面指示部を前記横筋の長手方向と略直交する方向（垂直方向）において前記横筋取付部に対して近接又は離反可能なように移動可能とし且つ当該移動後の位置で固定、支持可能とする上面指示位置調整部を備えるようにしたときは、前記アンカーボルトの位置決め・支持作業の際に、基礎コンクリートの上面レベル（基礎天端）を指示する作業をも纏めて効率的に行うことができる。
【図面の簡単な説明】
【００１２】
【図１】本発明の実施形態１に係るアンカーボルト位置決め支持用具の構成を説明するための斜視図である。
【図２】本実施形態１によるアンカーボルト位置決め支持用具の構成を説明するための斜視図である。
【図３】本実施形態１によるアンカーボルト位置決め支持用具の構成を説明するための斜視図である。
【図４】本実施形態１によるアンカーボルト位置決め支持用具の構成を説明するための斜視図である。
【図５】本実施形態１によるアンカーボルト位置決め支持用具の構成を説明するための斜視図である。
【図６】本実施形態１によるアンカーボルト位置決め支持用具の構成を説明するための斜視図である。
【図７】本実施形態１によるアンカーボルト位置決め支持用具の構成を説明するための斜視図である。
【図８】本実施形態１によるアンカーボルト位置決め支持用具の構成を説明するための斜視図である。
【図９】本実施形態１によるアンカーボルト位置決め支持用具の構成を説明するための斜視図である。
【図１０】本実施形態１によるアンカーボルト位置決め支持用具の動作を説明するための模式図である。
【図１１】本発明の実施形態２に係るアンカーボルト位置決め支持用具の構成を説明するための斜視図である。
【図１２】本実施形態２によるアンカーボルト位置決め支持用具の構成を説明するための斜視図である。
【図１３】本実施形態２によるアンカーボルト位置決め支持用具の構成を説明するための斜視図である。
【図１４】本実施形態２によるアンカーボルト位置決め支持用具の構成を説明するための斜視図である。
【図１５】本実施形態２によるアンカーボルト位置決め支持用具の構成を説明するための斜視図である。
【図１６】本実施形態２によるアンカーボルト位置決め支持用具の構成を説明するための斜視図である。
【図１７】本実施形態２によるアンカーボルト位置決め支持用具の構成を説明するための斜視図である。
【図１８】本実施形態２によるアンカーボルト位置決め支持用具の構成を説明するための斜視図である。
【図１９】従来の基礎工事におけるアンカーボルトの横筋への取り付け作業などを説明するための斜視図である。
【発明を実施するための形態】
【００１３】
〔第１の実施形態〕
以下、本発明の実施形態１に係るアンカーボルト位置決め支持用具を図１〜１０を参照して説明する。図１〜９は本発明の一実施形態に係るアンカーボルト位置決め支持用具の構成を説明するための斜視図、図１０は本実施形態１に係るアンカーボルト位置決め支持用具を横筋又はアンカーボルトに取り付けるときの動作を説明するための図である。
【００１４】
図１〜９において、１は例えばプラスチック製又は金属製の本体部、２は前記本体部１に固定され、例えばプラスチックなどの可とう性を有する素材により作製された横筋取付部、３は前記本体部１に固定され、例えばプラスチックなどの可とう性を有する素材により作製されたアンカーボルト支持部、４は前記アンカーボルトの位置を水平方向において前記本体部１（又は横筋取付部２）に対して移動可能とし且つその移動後の位置で固定可能とするボルト位置調整部である。
【００１５】
前記横筋取付部２は、図示のような正面略Ｃ字状（略Ｕ字状でもよい。以下同じ）の可とう性部材（プラスチック製部材など）から構成されている。前記横筋取付部２を横筋（図１９の１０３参照）に取り付けるときは、前記正面略Ｃ字状部分の開口部２ａから横筋を前記正面略Ｃ字状部分の内部に入れる。前記横筋（横筋の側部）が前記開口部２ａを通過するとき（図１０（ａ）参照）は、前記横筋により前記開口部２ａに対向する括れ部２ｃ（図１０のように互いに近づいている左右の部分）が外側方向（互いに離れる外側方向）に開くように弾性変形する（図１０（ｂ）及び（ｃ）参照）。その後、前記横筋が前記正面略Ｃ字状部分の内部２ｂに入り込むと、前記括れ部２ｃは元の括れ側（互いに近づく内側方向）へと戻り、元の位置（図１０（ａ）と同じ位置）に復帰する（図１０（ｄ）参照）。
【００１６】
また、前記アンカーボルト支持部３は、図示のような正面略Ｃ字状（略Ｕ字状でもよい。以下同じ）の可とう性部材（プラスチック製部材など）から構成されている。前記アンカーボルト支持部３にアンカーボルト（図１９の１０４参照）を取り付けるときは、前記正面略Ｃ字状部分の開口部３ａからアンカーボルトを前記正面略Ｃ字状部分の内部に入れる。前記アンカーボルトが前記開口部３ａを通過するとき（図１０（ａ）参照）は、前記アンカーボルトにより前記開口部３ａに対向する括れ部３ｃが互いに離れる外側方向に開くように弾性変形する（図１０（ｂ）及び（ｃ）参照）。その後、前記アンカーボルトが前記正面略Ｃ字状部分の内部３ｂに入り込むと、前記括れ部３ｃは元の括れ側（互いに近づく内側方向）へと戻り、元の位置（図１０（ａ）と同じ位置）に復帰する（図１０（ｄ）参照）。
【００１７】
また、前記ボルト位置調整部４は、例えば図４，図６及び図７に示すように、前記本体部１中に形成された、長手方向が水平方向に延びる長穴４ａと、この長穴４ａ内を水平方向に移動可能なネジ部であって前記アンカーボルト支持部３と固定されているネジ部４ｂと、前記ネジ部４ｂを前記本体部１に締付け固定する締結部４ｃとから構成されている。作業者は、横筋に前記横筋取付部２を取り付けた後、前記ネジ部４ｂを指で掴んで前記長穴４ａ中を水平方向に移動させて位置を調整する。そして、前記ネジ部４ｂと固定された前記アンカーボルト支持部３が適切に位置決めできたとき、その位置で、前記締結部４ｃを使用して前記ネジ部４ｂを前記本体部１に締結する。これにより、作業者は、前記ボルト位置調整部４の位置、すなわちアンカーボルトを支持・固定する位置を高精度に位置決めすることができる。
【００１８】
以上のように、本実施形態１においては、横筋の側部に押し付けるだけで前記横筋に対して取り付け固定可能な、可とう性を有する断面Ｃ字状部材から成る横筋取付部２と、アンカーボルトの側部を押し付けるだけで前記アンカーボルトを取り付け支持（固定）可能な、可とう性を有する断面Ｃ字状部材から成るアンカーボルト支持部３とを備えたので、前記横筋取付部２を横筋に押し付け、さらにアンカーボルトを前記アンカーボルト支持部３に押し付けるだけで、アンカーボルトを横筋に対して所定距離を保ちながら垂直方向（縦方向）に支持できるようになる。よって、本実施形態１によれば、建物基礎工事においてアンカーボルトを横筋に対して位置決めしながら配置、固定する作業を、従来と比較して大幅に効率化することができ、以って建物等の基礎工事を大幅に効率化・低コスト化することができる。
【００１９】
また、本実施形態においては、前記アンカーボルト支持部３と固定された前記ネジ部４ｂを前記横筋取付部２に対して水平方向において近接又は離反可能なように前記長穴４ａ内で移動可能とし、前記締結部４ｃにより前記ネジ部４ｂを前記移動後の位置で本体部１に対して固定可能とするアンカーボルト位置調整部４を備えるようにしたので、前記横筋に対するアンカーボルトの位置決めを極めて高精度に且つ効率的に行うことができる。
【００２０】
〔第２の実施形態〕
次に本発明の実施形態２に係るアンカーボルト位置決め支持用具を図１１〜１８を参照して説明する。なお、本実施形態２の基本的構成は前記実施形態１と同様であるので、以下では異なる部分を中心に説明する。また図１１〜１８に関しては、前述した図１〜１０に示すものと共通する部分には同一の符号を付し、説明を省略する。
【００２１】
本実施形態２では、前記実施形態１で説明した本体部１の端部に、上面指示位置調整部１１が備えられている。この上面指示位置調整部１１は、その上端部が基礎天端（基礎コンクリートの上面レベル）を指示する上面指示部１１ａとなっており、その下方の胴体部１１ｂには側面に雄ネジが形成されている。前記上面指示位置調整部１１の胴体部１１ｂは、前記本体部１の端部に配置、固定されたプラスチック製又は金属製の支持リング１２（図１５，１６，１８など参照）の内周面に形成された雌ネジと噛み合うように螺入（挿入）されている。前記上面指示位置調整部１１は、その胴体部１１ｂを作業者が手で回転することにより、前記雌ネジとの噛み合わせにより上下動可能となっている。このようにして前記胴体部１１ｂを上下動することにより、前記上面指示部１１ａの横筋に対する垂直方向の距離及び位置が調整できるようになっている。なお図１１〜１８において、１１ｃは前記胴体部１１ｂ中の前記本体部１よりも図示下方に位置する部分である。
【００２２】
以上のように、本実施形態２においては、基礎コンクリートの上面レベル（基礎天端）を指示する上面指示部１１ａを横筋の長手方向と略直交する方向（垂直方向）に移動可能（前記横筋取付部２に対して近接又は離反可能なように移動可能）で且つ当該移動後の位置で固定、支持可能な上面指示位置調整部１１を備えるようにしたので、アンカーボルトの位置決め支持の作業の際に、基礎コンクリートの上面レベル（基礎天端）を指示する作業をも纏めて効率的に行うことができる。なお、前述のように、本実施形態２は前記実施形態１とその基本的構成は同一であるから、本実施形態２によっても前記実施形態１と同様の作用効果が得られることはもちろんである。
【００２３】
以上、本発明の各実施形態について説明したが、本発明は前記の各実施形態として述べたものに限定されるものではなく、様々な修正及び変更が可能である。例えば、前記実施形態１においては、図１〜６に示すように、前記横筋取付部２のＣ字状部分の開口部２ａを、横筋の下側の側部に対して押し付けてそのＣ字状部分の内部２ｂ（図１０（ｃ）など参照）に取り込み取り付けるようにしたが、本発明はこれに限られるものではなく、例えば、図７及び図８に示すように前記横筋取付部２のＣ字状部分の開口部２ａを、横筋の上側の側部に対し押し付けてそのＣ字状部分の内部に取り込み取り付けるようにしてもよい。
【符号の説明】
【００２４】
１    本体部
２    横筋取付部
２ａ  横筋取付部のＣ字状部分の開口部
２ｂ  横筋取付部のＣ字状部分の内部
２ｃ  横筋取付部のＣ字状部分の括れ部
３    アンカーボルト支持部
３ａ  アンカーボルト支持部のＣ字状部分の開口部
３ｂ  アンカーボルト支持部のＣ字状部分の内部
３ｃ  アンカーボルト支持部のＣ字状部分の括れ部
４    アンカーボルト位置調整部
４ａ  長穴
４ｂ  ネジ部
４ｃ  締結部
１１  上面指示位置調整部
１１ａ 上面指示部
１１ｂ 胴体部
１２  支持リング
１０２ 縦筋
１０３ 横筋
１０４ アンカーボルト
【図１】
2019019486.tif 000003
【図２】
2019019486.tif 000004
【図３】
2019019486.tif 000005
【図４】
2019019486.tif 000006
【図５】
2019019486.tif 000007
【図６】
2019019486.tif 000008
【図７】
2019019486.tif 000009
【図８】
2019019486.tif 000010
【図９】
2019019486.tif 000011
【図１０】
2019019486.tif 000012
【図１１】
2019019486.tif 000013
【図１２】
2019019486.tif 000014
【図１３】
2019019486.tif 000015
【図１４】
2019019486.tif 000016
【図１５】
2019019486.tif 000017
【図１６】
2019019486.tif 000018
【図１７】
2019019486.tif 000019
【図１８】
2019019486.tif 000020
【図１９】
2019019486.tif 000021